(57)【要約】【課題】発光装置及びこの発光装置を備えた照明器具において、装置をコンパクトにすると共に、装置が取り付けられる部材との間の絶縁性を向上する。【解決手段】発光装置１は、プリント基板２が載置される板部３１と、この載置されたプリント基板２の側方を覆うように板部３１の縁部に立設された側壁部３２とを有し、プリント基板２を収納する絶縁性のプリント基板受け部材３と、プリント基板２の前方を覆うように配置され、光出射用の開口４０を有する絶縁性のカバー部材４とを備え、プリント基板２の背面及び側方をプリント基板受け部材３で覆うようにした。これにより、取付面６の導電性部分と、プリント基板２の導電性部分の沿面距離Ｌ１を伸ばすことができ、空間距離Ｌ２が短くてもプリント基板２の絶縁性を高めることが可能となる。また、プリント基板２の前方をカバー部材４で覆うようにしたので、プリント基板２の絶縁性を更に高めることができる。【選択図】図２
2006319111.tif 000002
【特許請求の範囲】
【請求項１】
前面に光源を有し、背面に放熱板を有するプリント基板と、前記プリント基板が載置される板部及び、この載置されたプリント基板の側方を覆うように前記板部の縁部に立設された側壁部を有し、前記板部と前記放熱板の背面が接した状態で前記プリント基板を収納する絶縁性のプリント基板受け部材と、前記プリント基板の前方を覆うように配置され、光出射用の開口を有する絶縁性のカバー部材と、を備えたことを特徴とする発光装置。
【請求項２】
前記プリント基板受け部材の側壁部は、該側壁部の側面に突出形成された鍔部を備え、
前記鍔部には、該鍔部の前面から背面に貫通する貫通孔が形成され、
前記カバー部材は、前記プリント基板受け部材の前方に配置された状態において前記貫通孔と対向する位置に、該貫通孔に向かって突出形成された突起部を有し、
前記突起部は、前記貫通孔に挿入された状態で、該突起部の先端付近が前記鍔部の背面に溶着して固定されることを特徴とする請求項１に記載の発光装置。
【請求項３】
前記カバー部材は、前記プリント基板受け部材の側壁部より外側に配置され発光装置が取り付けられる取付面に当接される外壁部と、前記プリント基板受け部材の側壁部より内側に配置され前記プリント基板に当接される内壁部とを備え、
前記外壁部は、該外壁部を前記取付面に押圧しつつ該取付面にカバー部材を固定する固定部を有し、
前記内壁部は、前記外壁部が前記取付面に固定された状態で、前記プリント基板を前記プリント基板受け部材に押圧して該プリント基板をプリント基板受け部材との間で挟持することを特徴とする請求項１に記載の発光装置。
【請求項４】
前記カバー部材は、前記プリント基板受け部材の側壁部より内側に配置された内壁部を備え、
前記内壁部は、発光装置が取り付けられる取付面に発光装置が取り付けられた状態における前記プリント基板と該プリント基板に対向する該内壁部の端面との間隔が、該プリント基板に接続される配線の径より狭くなるように形成され、
発光装置が前記取付面に取り付けられた状態で、前記内壁部の端面で前記プリント基板に接続された配線を該プリント基板に押圧して該配線をプリント基板との間で挟持することを特徴とする請求項１に記載の発光装置。
【請求項５】
前記光源の前方に配置されるレンズを更に備え、
前記カバー部材は、前記レンズの前端部側の外周に接する第１の保持部及び、前記レンズの後端部側の外周に接する第２の保持部を有するレンズホルダ部を備え、
前記レンズは、前記第１の保持部及び前記第２の保持部の両方に接した状態で位置決めされ、前記レンズホルダ部に保持されることを特徴とする請求項１に記載の発光装置。
【請求項６】
請求項１乃至請求項５のいずれかに記載の発光装置を備えたことを特徴とする照明器具。
【発明の詳細な説明】
【技術分野】
【０００１】
本発明は、プリント基板にＬＥＤ（Light Emitting Diode）等の光源を有する発光装置及びこの発光装置を備えた照明器具に関する。
【背景技術】
【０００２】
従来から、光源となるＬＥＤを有するプリント基板と、該ＬＥＤの側方を覆うようにプリント基板に立設されたカバー部材とを備えた発光装置が知られており、図８（ａ）（ｂ）に示されるように、カバー部材１０４が、ＬＥＤ１２１の前方に配置されたレンズ１０５を保持するレンズホルダ部として機能する発光装置１０１が知られている（例えば、特許文献１参照）。
【特許文献１】特許第３５８０３８６号公報
【発明の開示】
【発明が解決しようとする課題】
【０００３】
同図に示される発光装置１０１においては、プリント基板１０２の電気的絶縁性を確保するため、プリント基板１０２の背面と、発光装置１０１が取り付けられる取付面１０６の間に絶縁シート（図示せず）等を配置する必要があった。また、プリント基板１０２の前面の導電性部分と、取付面１０６の導電性部分の電気的絶縁距離を確保するために、プリント基板１０２自体のサイズを大きくしたり、プリント基板１０２の導電性部分を絶縁材料で覆ったりする必要があり、プリント基板１０２のサイズが大きくなる等の問題があった。また、プリント基板１０２を取付面１０６に固定するために用いるネジＳには、樹脂などの絶縁材料のものを用いる必要があった。
【０００４】
更に、発光装置１０１においては、ハンダＨでプリント基板１０２に直付けされたリード線Ｒに何らかの張力がかかった場合、ハンダ付けが適切でないとハンダＨがプリント基板１０２から外れてしまう虞があった。
【０００５】
また、発光装置１０１においては、プリント基板１０２が剥き出しであったため、組立作業等、発光装置１０１を取り扱う場合において、プリント基板１０２上の電子部品が静電気で破損する虞があった。
【０００６】
本発明は、かかる点に鑑みてなされたものであり、装置のコンパクト化を図ることができると共に、装置が取り付けられる部材との間の絶縁性を向上することができる発光装置、及びこの発光装置を備えた照明器具を提供することを目的とする。
【課題を解決するための手段】
【０００７】
上記目的を達成するために請求項１の発明は、前面に光源を有し、背面に放熱板を有するプリント基板と、前記プリント基板が載置される板部及び、この載置されたプリント基板の側方を覆うように前記板部の縁部に立設された側壁部を有し、前記板部と前記放熱板の背面が接した状態で前記プリント基板を収納する絶縁性のプリント基板受け部材と、前記プリント基板の前方を覆うように配置され、光出射用の開口を有する絶縁性のカバー部材と、を備えたことを特徴とする発光装置である。
【０００８】
請求項２の発明は、請求項１に記載の発光装置において、前記プリント基板受け部材の側壁部は、該側壁部の側面に突出形成された鍔部を備え、前記鍔部には、該鍔部の前面から背面に貫通する貫通孔が形成され、前記カバー部材は、前記プリント基板受け部材の前方に配置された状態において前記貫通孔と対向する位置に、該貫通孔に向かって突出形成された突起部を有し、前記突起部は、前記貫通孔に挿入された状態で、該突起部の先端付近が前記鍔部の背面に溶着して固定されることを特徴とする。
【０００９】
請求項３の発明は、請求項１に記載の発光装置において、前記カバー部材は、前記プリント基板受け部材の側壁部より外側に配置され発光装置が取り付けられる取付面に当接される外壁部と、前記プリント基板受け部材の側壁部より内側に配置され前記プリント基板に当接される内壁部とを備え、前記外壁部は、該外壁部を前記取付面に押圧しつつ該取付面にカバー部材を固定する固定部を有し、前記内壁部は、前記外壁部が前記取付面に固定された状態で、前記プリント基板を前記プリント基板受け部材に押圧して該プリント基板をプリント基板受け部材との間で挟持することを特徴とする。
【００１０】
請求項４の発明は、請求項１に記載の発光装置において、前記カバー部材は、前記プリント基板受け部材の側壁部より内側に配置された内壁部を備え、前記内壁部は、発光装置が取り付けられる取付面に発光装置が取り付けられた状態における前記プリント基板と該プリント基板に対向する該内壁部の端面との間隔が、該プリント基板に接続される配線の径より狭くなるように形成され、発光装置が前記取付面に取り付けられた状態で、前記内壁部の端面で前記プリント基板に接続された配線を該プリント基板に押圧して該配線をプリント基板との間で挟持することを特徴とする。
【００１１】
請求項５の発明は、請求項１に記載の発光装置において、前記光源の前方に配置されるレンズを更に備え、前記カバー部材は、前記レンズの前端部側の外周に接する第１の保持部及び、前記レンズの後端部側の外周に接する第２の保持部を有するレンズホルダ部を備え、前記レンズは、前記第１の保持部及び前記第２の保持部の両方に接した状態で位置決めされ、前記レンズホルダ部に保持されることを特徴とする。
【００１２】
請求項６の発明は、請求項１乃至請求項５のいずれかに記載の発光装置を備えたことを特徴とする照明器具である。
【発明の効果】
【００１３】
請求項１に記載の発光装置によれば、プリント基板を絶縁性のプリント基板受け部材に収納し、プリント基板の背面をプリント基板受け部材の板部で覆い、プリント基板の側方を該板部の縁部に立設された側壁部で覆うようにしたので、プリント基板受け部材の背面側に配置される部材の導電性部分と、プリント基板に形成されている導電性部分の沿面距離を伸ばすことができる。このため、プリント基板とプリント基板受け部材の背面側に配置される部材の空間距離が短くてもプリント基板の絶縁性を高めることが可能となり、発光装置のサイズをコンパクトにすることができる。
【００１４】
また、プリント基板の背面及び側方を絶縁性のプリント基板受け部材で覆ったことに加えて、プリント基板の前方を絶縁性のカバー部材で覆うようにしたので、プリント基板の絶縁性を更に高めることができ、プリント基板上の電子部品等の静電気による破損を効果的に防止することができる。このため、ユーザは、発光装置を取り扱う際に静電気による電子部品等の破損に気を使う必要がなくなり、発光装置の取り扱いが容易になる。
【００１５】
請求項２に記載の発光装置によれば、請求項１と同様の効果が得られる他、カバー部材の突起部の先端付近が、プリント基板受け部材の鍔部の背面に溶着されて鍔部に固定され、カバー部材とプリント基板受け部材が一体化されているので、カバー部材とプリント基板受け部材のうちのどちらか一方を、発光装置が取り付けられる取付面に固定するだけで、発光装置を取付面に取り付けることができる。このため、例えば、照明器具等への発光装置の取り付けが容易になる。
【００１６】
請求項３に記載の発光装置によれば、請求項１と同様の効果が得られる他、カバー部材の内壁部は、カバー部材の外壁部が取付面に固定された状態で、プリント基板をプリント基板受け部材に押圧して該プリント基板をプリント基板受け部材との間で挟持するので、カバー部材を取付面に固定するだけで、プリント基板受け部材及びプリント基板が固定される。このため、例えば、照明器具等への発光装置の取り付けが容易になる。
【００１７】
また、カバー部材の内壁部でプリント基板をプリント基板受け部材に押圧するので、プリント基板の放熱板とプリント基板受け部材の密着性が向上する。このため、プリント基板で発生した熱を効率よく放熱することができ、プリント基板上の電子部品の長期信頼性を確保することができる。
【００１８】
請求項４に記載の発光装置によれば、請求項１と同様の効果が得られる他、カバー部材の内壁部は、発光装置が取付面に取り付けられた状態で、プリント基板に接続された配線をプリント基板に押圧して該配線をプリント基板との間で挟持するので、プリント基板に接続された配線に張力がかかった場合でも、プリント基板から配線が外れることを防止することができ、装置の信頼性を高めることができる。
【００１９】
請求項５に記載の発光装置によれば、請求項１と同様の効果が得られる他、レンズは、レンズの前端部側の外周に接する第１の保持部、及び、レンズの後端部側の外周に接する第２の保持部の両方に接した状態で位置決めされ、レンズホルダ部に保持されるので、レンズを光学的に正確な位置に配置することができる。
【００２０】
請求項６に記載の照明器具よれば、コンパクト化が可能な請求項１乃至請求項５のいずれかに記載の発光装置を備えるので、発光装置の設置スペースを小さくして照明器具自体のコンパクト化を図ることができる。また、発光装置の絶縁性が高く、発光装置が取り付けられる部材との間の絶縁性を考慮する必要がないので、器具の取り扱いが容易になる。
【発明を実施するための最良の形態】
【００２１】
以下、本発明の第１の実施形態に係る発光装置について図１（ａ）（ｂ）及び図２（ａ）（ｂ）を参照して説明する。発光装置１は、例えば、照明器具等に用いられる装置であり、光源となるＬＥＤ２１を有するプリント基板２と、プリント基板受け部材３と、カバー部材４とを備えている。なお、本明細書においては、ＬＥＤ２１からカバー部材４の開口４０に向かう方向を前方ａといい、開口４０からＬＥＤ２１に向かう方向を後方ｂという。また、各部材の前方ａ側の面を前面、各部材の後方ｂ側の面を背面という。
【００２２】
プリント基板２は、前面に光源となるＬＥＤ２１を有し、背面に金属等により形成された放熱板２２を有している（図２（ａ）（ｂ）参照）。プリント基板受け部材３は、プリント基板２が載置される板部３１と該載置されたプリント基板２の側方を覆うように板部３１の縁部に立設された側壁部３２とを有しており、板部３１と放熱板２２の背面が接した状態でプリント基板２を収納する。プリント基板受け部材３は絶縁材料により形成される。
【００２３】
カバー部材４は、プリント基板２の前方を覆うように配置され、光出射用の開口４０と、プリント基板受け部材３の側壁部３２より外側に配置される外壁部４２とを備えている。カバー部材４も絶縁材料により形成される。発光装置１はＬＥＤ２１の前方ａに配置されるレンズ５を備えており、カバー部材４はレンズ５を保持する筒状のレンズホルダ部４１を備えている。
【００２４】
レンズ５は、前端部付近にレンズ鍔部５１を有している。レンズホルダ部４１は、その前端部にレンズ鍔部５１が載置される載置面４１ａと、前端部から前方ａに向かって突出形成された鉤部４１ｂとを有している。このレンズ鍔部５１がレンズホルダ部４１の載置面４１ａに載置された状態でレンズの前面５ａが鉤部４１ｂに嵌め込まれることによりレンズ５はレンズホルダ部４１に固定される。このようなレンズホルダ部４１には光透過性の低い材料を用いることが好ましい。レンズホルダ部４１に光透過性の低い材料を用いることにより、レンズ５で制御しきれない光がレンズホルダ部４１から漏れてきて、狙い以外の方向に光が照射されることを防ぐことができる。なお、図２（ａ）においては、鉤部４１ｂを省略して示している。
【００２５】
プリント基板受け部材３及びカバー部材４を形成する絶縁材料は、特に限定されるものではないが、カバー部材４には強度の高い樹脂等を用いることが好ましい。強度の高い樹脂をカバー部材４に用いることにより発光装置１の強度を高めることができる。一方、プリント基板受け部材３の板部３１には熱伝導性の良いシリコーンゴム等を用いることが好ましい。板部３１にシリコーンゴム等を用いることによりプリント基板２で発生した熱を効率よくプリント基板受け部材３の背面側に放熱することができる。
【００２６】
その他、プリント基板受け部材３の側壁部３２にはリード線（配線）挿入用の切欠部３８が形成されており、カバー部材４には、この切欠部３８に対向する位置に切欠部４８が形成されている。これら切欠部３８，４８を介してプリント基板２に電力を供給するためのリード線が挿入される。また、カバー部材４には、該カバー部材４の前面から背面に貫通する切欠部４９が形成されており、この切欠部４９を介してカバー部材４を取付面（発光装置１を支持する部材の発光装置１が取り付けられる面）６にネジ止めすることにより、発光装置１は取付面６に固定される。なお、以下においては、カバー部材４を取付面６に取り付けるためにカバー部材４に形成された部位を総称して固定部といい、切欠部４９と同じ符号を用いて説明する。固定部４９の形状は、取付面６への取り付けに適している形状であれば特に限定されるものではなく、固定方法はネジ止め以外の方法であってもよい。なお、図２（ａ）（ｂ）、後述する図３（ａ）（ｂ）、及び図６においては、固定部４９を省略して示している。
【００２７】
発光装置１は、プリント基板２を板部３１と放熱板２２の背面が接した状態でプリント基板受け部材３に収納し、レンズ５が嵌め込まれたカバー部材４をプリント基板２の前方ａを覆うように配置して、ネジを介して切欠部４９を取付面６に固定することにより、照明器具等に取り付けられる。なお、本実施形態及び以下の実施形態において、ネジは絶縁材料により形成されていなくてもよい。
【００２８】
本実施形態の発光装置１によれば、プリント基板２を絶縁性のプリント基板受け部材３に収納し、プリント基板２の背面をプリント基板受け部材３の板部３１で覆い、プリント基板２の側方を、該板部３１の縁部に立設された側壁部３２で覆うようにしたので、図２（ｂ）に示されるように、該プリント基板受け部材３の背面側に配置される部材の導電性部分Ｐ１と、プリント基板２に形成されている導電性部分Ｐ２の沿面距離（２つの導電性部分Ｐ１，Ｐ２の間の、側壁部３２の表面に沿った最短距離）Ｌ１を伸ばすことができる。このためプリント基板２とプリント基板受け部材３の背面側に配置される部材の空間距離Ｌ２が短くても、プリント基板２の絶縁性を高めることが可能となり、発光装置１のサイズをコンパクトにすることができる。
【００２９】
また、プリント基板２の背面及び側方を絶縁性のプリント基板受け部材３で覆ったことに加えて、プリント基板２の前方を絶縁性のカバー部材４で覆うようにしたので、プリント基板２の絶縁性を更に高めることができ、静電気によるプリント基板２上の電子部品の破損をより効果的に防止することができる。このため、ユーザは、発光装置１を取り扱う際、静電気による電子部品の破損に気を使う必要がなくなり、発光装置１の取り扱いが容易になる。
【００３０】
次に、本発明の第２の実施形態に係る発光装置について図３（ａ）（ｂ）を参照して説明する。本実施形態の発光装置１は、プリント基板受け部材３及びカバー部材４が一体化されている点で第１の実施形態と異なる。
【００３１】
プリント基板受け部材３の側壁部３２は、側壁部３２の外側面に突出形成された鍔部３３を備えている。この鍔部３３には、その前面３３ａから背面３３ｂに貫通する貫通孔３４が形成されている。一方、カバー部材４は、プリント基板受け部材３の前方に配置された状態において貫通孔３４と対向する位置に、この貫通孔３４に向かって突出形成された突起部４４を有している。
【００３２】
次に、これらプリント基板受け部材３及びカバー部材４を一体化する方法について説明する。まず、図３（ａ）に示されるように、プリント基板２をプリント基板受け部材３に収納した状態で、カバー部材４をプリント基板２の前方を覆うように配置し、突起部４４を貫通孔３４に挿入する。次に、図３（ａ）の状態で突起部４４の先端付近を加熱等し、図３（ｂ）に示されるように、突起部４４の先端付近を鍔部３３の背面３３ｂに溶着させる。
【００３３】
本実施形態の発光装置１によれば、請求項１と同様の効果が得られる他、カバー部材４の突起部４４の先端付近が、プリント基板受け部材３の鍔部３３の背面３３ｂに溶着されて鍔部３３に固定され、カバー部材４とプリント基板受け部材３が一体化されているので、カバー部材４とプリント基板受け部材３のうちのどちらか一方を取付面に固定するだけで、発光装置１を取付面に取り付けることができる。このため、照明器具等への発光装置１の取り付けが容易になる。
【００３４】
次に、本発明の第３の実施形態に係る発光装置について図４を参照して説明する。本実施形態の発光装置１は、カバー部材４が外壁部４２以外に内壁部４３を備える点で第１の実施形態と異なる。
【００３５】
カバー部材４は、プリント基板受け部材３の側壁部３２より外側に配置され取付面６に当接される外壁部４２と、プリント基板受け部材３の側壁部３２より内側に配置されプリント基板２に当接される内壁部４３とを備えている。外壁部４２は、該外壁部４２を取付面６に押圧しつつ該取付面６にカバー部材４を固定する固定部４９を有している。本実施形態において、固定部４９は、外壁部４２の先端部分を取付面６と略平行となるように折り曲げて形成された当接部４２ａと、該当接部４２ａの前面から背面に挿通するネジ止め用の挿通孔４２ｂとを含んでいる。
【００３６】
内壁部４３の高さは、外壁部４２の高さから放熱板２２を含むプリント基板２の厚さ及びプリント基板受け部材３の板部３１の厚さを引いた高さより僅かに高くなるように形成されており、内壁部４３は、外壁部４２が取付面６に固定された状態で、プリント基板２をプリント基板受け部材３に押圧して該プリント基板２をプリント基板受け部材３との間で挟持する。
【００３７】
本実施形態の発光装置１によれば、第１の実施形態と同様の効果が得られる他、カバー部材４の内壁部４３は、カバー部材４の外壁部４２が取付面６に固定された状態で、プリント基板２をプリント基板受け部材３に押圧して該プリント基板２をプリント基板受け部材３との間で挟持するので、カバー部材４を取付面６に固定するだけで、プリント基板受け部材３及びプリント基板２が固定される。このため、例えば、照明器具等への装置の取り付けが容易になる。
【００３８】
また、カバー部材４の内壁部４３でプリント基板２をプリント基板受け部材３に押圧するので、プリント基板２の放熱板２２とプリント基板受け部材３の密着性が向上する。このため、プリント基板２で発生した熱を効率よく放熱することができ、プリント基板２上の電子部品の長期的な信頼性を確保することができる。
【００３９】
次に、本発明の第４の実施形態に係る発光装置について図５を参照して説明する。本実施形態の発光装置１は、カバー部材４の内壁部４３とプリント基板２の間でリード線Ｒを挟持できるようにした点で第３の実施形態と異なる。
【００４０】
カバー部材４は、プリント基板受け部材３の側壁部３２より内側に配置された内壁部４３を備えている。内壁部４３は、取付面６に発光装置１が取り付けられた状態におけるプリント基板２と該プリント基板２に対向する該内壁部４３の端面４３ａの間隔が、該プリント基板２に接続されるリード線Ｒの径より狭くなるように形成されている。また、内壁部４３の端面４３ａには、リード線Ｒを保持する際、リード線Ｒの被覆を破損しないようにするために、リード線Ｒの形状に合わせて溝４３ｂが形成されている。
【００４１】
内壁部４３は、発光装置１が取付面６に取り付けられた状態で、内壁部４３の端面４３ａでプリント基板２に接続されたリード線Ｒをプリント基板２に押圧して該リード線Ｒをプリント基板２との間で挟持する。すなわち、カバー部材４が取付面６に固定されると同時に、リード線Ｒが内壁部４３とプリント基板２によって固定される。
【００４２】
本実施形態の発光装置１によれば、第１の実施形態と同様の効果が得られる他、カバー部材４の内壁部４３は、発光装置１が取付面６に取り付けられた状態で、プリント基板２に接続されたリード線Ｒをプリント基板２に押圧して該リード線Ｒをプリント基板２との間で挟持するので、プリント基板２に接続されたリード線Ｒに張力がかかった場合でも、プリント基板２からリード線Ｒが外れることを防止することができ、装置の信頼性を高めることができる。
【００４３】
次に、本発明の第５の実施形態に係る発光装置について図６（ａ）（ｂ）を参照して説明する。本実施形態の発光装置１は、レンズホルダ部４１で、レンズ５の前端部付近のみならずレンズの後端部付近も保持できるようにした点で第１の実施形態と異なる。
【００４４】
レンズホルダ部４１は、レンズ５の前端部付近の外周に接する第１の保持部４５と、レンズ５の後端部付近の外周に接する第２の保持部４６とを有している。第１の保持部４５は、レンズ鍔部５１が載置される載置面４１ａと、レンズ５のレンズ鍔部５１を除く前端部付近の外径と略同じ径を有する開口４０ａとを含んでいる。また、第２の保持部４６は、レンズ５の後端部付近の外径と略同じ径を有する開口４０ｂを含んでいる。これら開口４０ａ，４０ｂは、レンズ５の形状に対応する形状になるように形成されており、それぞれ光軸Ｏを中心とする円形に形成されている。レンズ５は、第１の保持部４５及び第２の保持部４６の両方に接した状態で位置決めされ、レンズホルダ部４１に保持される。第１の保持部４５及び第２の保持部４６でレンズ５を位置決めし、レンズ５の前端部側及び後端部側の２点で横方向（レンズ５の径方向）ｃの位置ズレを防止することにより、レンズ５の取付角度のズレを防止することができる。
【００４５】
なお、第１の保持部４５及び第２の保持部４６の配置は、第１の保持部４５がレンズ５の前端部側にあり、第２の保持部４６がレンズ５の後端部側にあればよいが、より効果的にレンズ５の取付角度のズレを防止するためには、第１の保持部４５と第２の保持部４６の間隔をできるだけ離すことが望ましく、本実施形態のようにレンズ５の前端部付近と後端部付近が望ましい。また、第１の保持部４５及び第２の保持部４６の形状は、各位置おいてレンズ５の横方向ｃの位置ズレを防止できればよく、レンズホルダ部４１の内壁面から突出形成された複数のリブによりレンズ５を保持するようにしてもよい。
【００４６】
本実施形態の発光装置１によれば、第１の実施形態と同様の効果が得られる他、レンズ５は、レンズ５の前端部付近の外周に接する第１の保持部４５、及び、レンズ５の後端部付近の外周に接する第２の保持部４６の両方に接した状態で位置決めされ、レンズホルダ部４１に保持されるので、レンズ５を光学的に正確な位置に配置することができる。
【００４７】
図７に、スポットライト（照明器具）１０に、上記第１の実施形態乃至第５の実施形態に係る発光装置１を組み込んだ例を示す。スポットライト１０は発光装置１を発光させるための電源回路等を備えている。このようなスポットライト１０によれば、コンパクト化が可能な上記発光装置１を備えるので、発光装置１の設置スペースを小さくしてスポットライト１０自体のコンパクト化を図ることができる。また、発光装置１の絶縁性が高く、発光装置１が取り付けられる部材との間の絶縁性を考慮する必要がないので、スポットライト１０の取り扱いが容易になる。
【００４８】
なお、本発明は上記各種実施形態の構成に限られることなく種々の変形が可能である。例えば、本発明の発光装置１を、スポットライト１０以外の照明器具や、照明器具以外の装置に組み込むようにしてもよい。
【図面の簡単な説明】
【００４９】
【図１】（ａ）は本発明の第１の実施形態に係る発光装置の斜視図、（ｂ）は同分解斜視図。
【図２】（ａ）は図１におけるＡ−Ａ線断面図、（ｂ）は同発光装置のプリント基板受け部材の側壁部付近の断面図。
【図３】（ａ）は本発明の第２の実施形態に係る発光装置のプリント基板受け部材の側壁部付近のカバー部材固定前の断面図、（ｂ）は同カバー部材固定後の断面図。
【図４】本発明の第３の実施形態に係る発光装置のプリント基板受け部材の側壁部付近の断面図。
【図５】本発明の第４の実施形態に係る発光装置のプリント基板受け部材の側壁部付近の断面図。
【図６】（ａ）は本発明の第５の実施形態に係る発光装置の断面図、（ｂ）はレンズを外した状態おける同発光装置の断面図。
【図７】本発明に係る発光装置を備えた照明器具の斜視図。
【図８】（ａ）は従来例に係る発光装置の斜視図、（ｂ）は（ａ）のＢ−Ｂ線断面図。
【符号の説明】
【００５０】
１    発光装置
２    プリント基板
３    プリント基板受け部材
４    カバー部材
５    レンズ
６    取付面
２１  ＬＥＤ
２２  放熱板
３１  板部
３２  側壁部
３３  鍔部
３４  貫通孔
４１  レンズホルダ部
４２  外壁部
４３  内壁部
４４  突起部
【図１】
2006319111.tif 000003
【図２】
2006319111.tif 000004
【図３】
2006319111.tif 000005
【図４】
2006319111.tif 000006
【図５】
2006319111.tif 000007
【図６】
2006319111.tif 000008
【図７】
2006319111.tif 000009
【図８】
2006319111.tif 000010